(57)【特許請求の範囲】
【請求項１】
金属針等の金属類が混入した被検出物を搬送ベルトにより搬送する駆動モータと、該搬送ベルトの近傍に設けられ、被検出物中の金属類の通過を誘起電圧の変化として検出する検針センサーと、該検針センサーの誘起電圧の検出感度を調整し、出力する制御部とを含む検針機であって、 
前記制御部が、
前記駆動モータの回転速度制御をするスピードコントロール基板と、
予め、前記搬送ベルトに感度の基準となる標準金属と検出対象となるサンプル金属とを搬送させることにより、前記標準金属の複数の搬送速度と該搬送速度に対応する感度との相関関係曲線（Ａ）と、前記サンプル金属の複数の搬送速度と該搬送速度に対応する感度との相関関係曲線（Ｂ）とを記憶すると共に、両曲線（Ａ）間に所定の閾値（Ｋ）を設定可能なデジタルメイン基板と、から成り、
被検出物が搬送された際に、前記デジタルメイン基板が両曲線（Ａ）から得られる感度に基づいて、被検出物の設定搬送速度に対応する閾値を自動的に演算して設定すると共に、前記検針センサーが検出した感度を前記閾値と比較し、該比較値との大小関係により、前記スピードコントロール基板に前記駆動モータの停止又は回転信号を送信し、
前記サンプル金属は、検針センサーによる検知をさせたくない非鉄金属から成るアクセサリー等の金属サンプルであり、前記被検出物の設定搬送速度に対応する感度の閾値（Ｋ）を、前記標準金属の相関関係曲線（Ａ）上の感度と、前記サンプル金属の相関関係曲線（Ｂ）上の感度との間に設定すると共に、前記デジタルメイン基板が前記スピードコントロール基板に与える制御信号は、前記被検出物の検出感度が前記閾値を超えない間は前記駆動モータの運転を継続させる信号であることを特徴とする検針機。
【請求項２】
請求項１に記載の検針機において、
前記被検出物の検出モード、搬送速度、感度及び閾値の条件設定パネルとして、これらの操作ボタンと共に液晶表示面を有する液晶表示ユニットを前記搬送ベルト近傍に配設し、該液晶表示面に前記搬送速度、感度及び閾値をリアルタイムに表示するようにしたことを特徴とする検針機。
【請求項３】
請求項１または請求項２に記載の検針機において、
前記搬送ベルトの側方であって、かつ、検針センサーの前方には、搬送ベルト上の被検出物を検知した後、前記検針センサーを通過するまでの間に、被検出物中に含まれている未知の金属の誘起電圧を検出して検針処理をさせるトリガーとなるフォトセンサーが配設されていることを特徴とする検針機。
【発明の詳細な説明】
【技術分野】
【０００１】
本発明は、例えば縫製品、インテリア製品、食料品、玩具等の製造工程中において混入した縫い針等の金属類を効果的に検出する検針機に関し、詳しくはその感度調整等の操作性を大幅に向上させた検針機に関する。
【背景技術】
【０００２】
通常、検針機は、コンベア幅方向に複数組配置した、例えば永久磁石と直流磁界とから成る検針センサーに対し、その下方において、例えば縫製工程中に混入した折損縫い針、忘れ針や、ホチキス等が混入した縫製品を搬送方向に移動させ、混入金属物が検針センサーの磁界を横切った際に生じる誘起電圧を検出することにより、これら異物を出荷前に検出する。
【０００３】
この場合、検針センサーの機能を最大現に発現させた状態で作動させるために、始業前の検針センサーの感度調整が必須の作業である。
【０００４】
しかしながら、従来の検針機は、その検針センサー感度がその検知特性上、搬送速度の変更は勿論、検知すべき金属の種類や形状が異なっても変化するので、その感度調整は非常に熟練を要する作業であった。
【０００５】
加えて、従来の検針機は、搬送速度調整と、感度調整とが独立していたため、感度調整をより困難なものにしていた。そのために縫製品の必要上、搬送速度が異なるたびに感度調整作業に徒に時間を浪費し、縫製品の生産性を低下させる原因ともなっていた。
【０００６】
このような被検出物の操作性に関する先行技術の検針機としては、特許文献１に記載のものが見られるが、この従来技術は、検針検査ミスが出荷前になかった事実をパソコン処理により後日証明せんとするもので、上記搬送速度の変更に伴う感度調整の困難性の問題を何ら解決し得るものではなかった。
【特許文献１】特開平９−７８４４６号公報（請求項１、図２）
【発明の開示】
【発明が解決しようとする課題】
【０００７】
本発明は、かかる問題点に鑑みてなされたもので、検針機ユーザにおいて、仮に被検出物の搬送速度が変更されても、検針センサーの感度を自動的に最適の状態に調整可能とし、これにより縫製品の生産性の向上が可能な検針機を提供することを目的とする。
【課題を解決するための手段】
【０００８】
上記課題を解決するため、請求項１に記載の検針機は、金属針等の金属類が混入した被検出物を搬送ベルトにより搬送する駆動モータと、該搬送ベルトの近傍に設けられ、被検出物中の金属類の通過を誘起電圧の変化として検出する検針センサーと、該検針センサーの誘起電圧の検出感度を調整し、出力する制御部とを含む検針機であって、前記制御部が、前記駆動モータの回転速度制御をするスピードコントロール基板と、予め、前記搬送ベルトに感度の基準となる標準金属と検出対象となるサンプル金属とを搬送させることにより、前記標準金属の複数の搬送速度と該搬送速度に対応する感度との相関関係曲線（Ａ）と、前記サンプル金属の複数の搬送速度と該搬送速度に対応する感度との相関関係曲線（Ｂ又はＣ）とを記憶すると共に、両曲線（Ａと、ＢまたはＣ）間に所定の閾値（ＫまたはＫ１）を設定可能なデジタルメイン基板と、から成り、前記被検出物が搬送された際には、前記デジタルメイン基板が両曲線（Ａと、ＢまたはＣ）から得られる感度に基づいて、被検出物の設定搬送速度に対応する閾値を自動的に演算して設定すると共に、前記検針センサーが検出した感度を前記閾値と比較し、該比較値との大小関係により、前記スピードコントロール基板に前記駆動モータの停止又は回転信号を送信することを特徴とする。
【０００９】
請求項１に記載の検針機において、前記サンプル金属は、検針センサーによる検知をさせたくない非鉄金属から成るアクセサリー等の金属サンプルであり、前記被検出物の設定搬送速度に対応する感度の閾値（Ｋ）を、前記標準金属の相関関係曲線（Ａ）上の感度と、前記サンプル金属の相関関係曲線（Ｂ）上の感度との間に設定すると共に、前記デジタルメイン基板が前記スピードコントロール基板に与える制御信号は、前記被検出物の検出感度が前記閾値を超えない間は前記駆動モータの運転を継続させる信号であることを特徴とする。
【００１０】
請求項２に係る検針機は、請求項１に記載の検針機において、前記被検出物の検出モード、搬送速度、感度及び閾値等の条件設定パネルとして、これらの操作ボタンと共に液晶表示面を有する液晶表示ユニットを前記搬送ベルト近傍に配設し、該液晶表示面に少なくとも前記搬送速度、感度及び閾値をリアルタイムに表示するようにしたことを特徴とする。
【００１１】
請求項３に係る検針機は、請求項１又は２に記載の検針機において、前記搬送ベルトの側方であって、かつ、検針センサーの前方には、搬送ベルト上の被検出物を検知した後、前記検針センサーを通過するまでの間に、被検出物中に含まれている未知の金属の誘起電圧を検出して検針処理をさせるトリガーとなるフォトセンサーが配設されていることを特徴とする。
【発明の効果】
【００１２】
請求項１記載の検針機によれば、前述したように、標準金属の複数の搬送速度とこの搬送速度に対応する感度との相関関係曲線（Ａ）と、サンプル金属の同様の相関関係曲線（Ｂ又はＣ）とに基づいて、被検出物の設定搬送速度に対応する最適の感度が自動的に演算して設定される。
【００１３】
また、検針センサーが検出した感度を、検針機内にメモリーされている閾値（ＫまたはＫ１）と比較し、該比較値との大小関係により、搬送モータの運転または停止が自動的になされる。
【００１４】
従って、オペレータは煩雑な感度調整作業から解放されるので、被検出物の生産性が格段に向上する。
【００１５】
請求項１記載の検針機によれば、前記サンプル金属を、検針センサーによる検知をさせたくない非鉄金属から成るアクセサリー等の金属サンプルとし、被検出物の設定搬送速度に対応する感度の閾値（Ｋ）を、標準金属の相関関係曲線（Ａ）上の感度と、サンプル金属の相関関係曲線（Ｂ）上の感度との間に設定し、この閾値に基づいて、搬送モータの運転または停止が自動的になされるので、被検出物中にアクセサリー等を残存させても問題のない被検出物については検針機を通過させることができ、被検出物の生産性がより一層向上する。
【００１６】
請求項２記載の検針機によれば、請求項１記載の検針機の効果に加え、被検出物の検出モード、搬送速度、感度及び閾値等の条件設定ボタンと、液晶表示面とを有する液晶表示ユニットを搬送ベルト近傍に配設したので、検針機の操作性が格段に向上する。また、液晶表示面に搬送速度、感度及び閾値をリアルタイムに表示したので、オペレータは、運転状態を瞬時に把握することができ、より一層、検針機の操作性と被検出物の生産性が向上する。
【００１７】
請求項３の検針機によれば、請求項１又は２に記載の検針機の効果に加え、搬送ベルト上の被検出物を検知した後、前記検針センサーを通過するまでの間に、被検出物中に含まれている未知の金属の誘起電圧を検出して検針処理をさせるトリガーとなるフォトセンサーを配設したので、オペレータは、搬送ベルトに被検出部を載置した後は被検出物に触れる必要が無く、より一層、検針機の操作性と被検出物の生産性が向上する。
【発明を実施するための最良の形態】
【００１８】
以下、本発明に係る検針機の最良の実施形態を図面を参照しながら説明する。
【実施例１】
【００１９】
図１は、本発明に係る検針機１の全体斜視図、図２は、図１の検針機１をＡ−Ａ線に沿って見た縦断面図である。
【００２０】
図１及び図２において、本発明の検針機１は、駆動モータ２が内蔵されたフレーム３の上に、被検出物である図示しない縫製品の搬送ベルト４が、駆動ローラ５と、ガイドローラ６とによって水平方向に張設されており、駆動モータ２の回転によってこれらローラ５、６がＶベルト７で駆動されることにより、縫製品を図１の矢印方向に搬送するようになっている。
【００２１】
また、図２に示すように、搬送ベルト４の搬送方向のほぼ中間部には、縫製品中に混入した縫い針等の金属類を発見するために、搬送ベルト４上の検針ゾーン２５を介して一組の検針センサー８が配置されている。
【００２２】
この一組の検針センサー８は、上部検針センサー９と、下部検針センサー１０とから成り、搬送ベルト幅方向においては、本実施例では等間隔に複数組のものが列状に搬送ベルト４を跨ぐように配列されている。これら複数組の検針センサー８は、図１に示すように、ベルト幅方向において門形の検針ヘッド１１を構成しており、縫製品がベルト幅方向のどの位置を通過しても、漏れなく混入針を検知できるようになっている。なお、検針センサー８は、例えば直流磁界が縫製品中の金属針等の通過に伴い、乱されたり遮断されたりして変化したときに誘起される誘起電圧を検知することにより、金属針の混入を検出するものであるが、センサー自体の原理及び構成は公知のものであるのでここでの詳細な説明は省略する。
【００２３】
そして、駆動モータ２には、ベルト速度検知用のタコジェネレータ１２が併設されている。また、側方フレーム１３上には、搬送ベルト４上の縫製品の存在を検知した後、検針ヘッド１１を通過するまでの間に、縫製品に含まれている未知の金属の誘起電圧を検出して、図３〜図８で後述する検針システムにより検針処理をさせるトリガーとなるフォトセンサー３５が配設されている。
【００２４】
また、フレーム３内には、図３で詳述するが専ら上記モータ２及びセンサー８類を統括して集中制御するコントロール基板２０が内蔵された駆動系制御盤２１と、専ら上記検針ヘッド１１及び液晶表示ユニット２２からの信号を受けて検知すべき縫製品ごとの最適の検針センサー感度を自動的に演算し、この演算結果に基づく最適の搬送速度を上記コントロール基板２０に与えるデジタルメイン基板２３が内蔵された制御系システム制御盤２４とが設けられている。
【００２５】
図３は、検針機１全体のコントロールシステム３０を説明するブロック線図である。
【００２６】
図において、本発明の検針機１のコントロールシステム３０は、大別して、搬送ベルト４の搬送速度制御を司る駆動系制御システム３１と、上記最適の検知センサー感度を自動演算し、その演算信号に基づいて上記駆動系制御システム３１に駆動モータ２の回転数指令をする制御系システム３２の２つのコントロールシステムから成り、駆動系制御盤２１と、制御系制御盤２４で本発明の検針機１の制御部３３を構成している。
【００２７】
駆動系制御システム３１は、前述した駆動モータ２、搬送速度センサー３４及びフォトセンサー３５と、駆動モータ２の回転速度を制御するスピードコントロール基板３６と、このスピードコントロール基板３６を後述するデジタルメイン基板２３からの制御信号に基づいて制御するコントロール基板２０とから成り、両基板は互いにバス接続されている。なお、駆動系制御盤２１は、図１のフレーム３内に内蔵され、制御系システム制御盤２４は図１の側方フレーム１３内に内蔵されている。
【００２８】
ここで、駆動モータ２としては、特に限定されず、誘導モータ、直流モータ等の各種モータを使用でき、また、搬送速度センサー３４及びフォトセンサー３５としても近接式、光電式等他の公知のものを適宜使用することができる。本実施例では、駆動モータ２は単相誘導モータを使用しており、スピードコンロール基板内には、搬送速度の無段階制御システムが設けられており、これにより駆動モータ２の無段変速が可能である。
【００２９】
コントロール基板２０は、電源スイッチ３７及び上記フォトセンサー３５と信号線で接続されていると共に、内部に後述するＣＰＵ３８、ＲＯＭ３９及びＲＡＭ４０を内蔵している。
【００３０】
一方、制御系システム３２は、図２で前述した検針センサー８と、デジタルアンプ基板２６と、デジタルメイン基板２３と、液晶表示ユニット２２とから成り、デジタルメイン基板２３は、デジタルアンプ基板２６及び前述した駆動系システムのコントロール基板２０と互いにバス接続されると共に電源スイッチ３７に接続されている。なお、上記各種センサー及び各基板の相互間は、図示は省略したが上記以外にも必要な機器間が信号線等で接続されている。
【００３１】
デジタルアンプ基板２６は、検針センサー８から得た検出信号をＡ／Ｄ変換し、その増幅を行うもので、得られたデジタル信号をデジタルメイン基板２３に送信するものである。
【００３２】
デジタルメイン基板２３は、液晶表示ユニット２２からの検針機１の起動、停止指令や、モード選択指令等を受け入れ、これに基づく駆動制御信号を制御系システム３２のコントロール基板２０に送信して必要な動作をさせると共に、コントロール基板２０から受け入れた搬送速度センサー３４の搬送速度信号と、デジタルアンプ基板２６から受け入れたデジタル増幅感度信号等に基づき、最適の検知感度を自動演算して設定し、その設定信号をコントロール基板２０と、デジタルアンプ基板２６と、次の図４で説明する液晶表示ユニット２２のコントローラとに送信してこれら機器類を統括制御する。
【００３３】
図４は、上記液晶表示ユニット２２の平面図である。
【００３４】
液晶表示ユニット２２は、スタートボタン４１による検針機１への起動、停止指令の他、キースイッチ４２によりモード、搬送速度、感度等の条件設定を与えると共に、それらの条件設定を液晶表示画面４３に表示する操作パネルであり、図１の左側の側方フレーム１３上に設けられている。
【００３５】
また、液晶表示画面４３は、メニューボタン４４を押動することにより、検出信号の閾値、運転モード、搬送速度、運転履歴等を画面上に順次呼び出し、キースイッチ４２のカーソル操作とエンターキー４５とにより適宜の設定と変更を加えることができ、これらデータが液晶画面上に表示できるようになっている。なお、符号５２は、キャンセルボタンである。
【００３６】
本実施例では、例えば「運転モード」としては、本発明の自動感度調整を行わない従来機と同様のセンシングを行う「通常検査モード」と、始業に際しての各部機能確認等を行う「始業点検モード」と、後述の図５及び図６で説明する本発明の検針機１の運転モードである「マテリアルエフェクトモード」と、後述の図７及び図８で説明する本発明の検針機１の運転モードである「補正モード」のいずれかを選択できるようになっている。
【００３７】
また、検針センサー８の「感度」については、液晶表示画面４３の左側において、棒グラフ４６としてリアルタイムに表示され、閾値を越えた棒グラフ４６は鉄系金属又は非鉄系金属の発見を意味しており、その幅方向位置が金属通過位置表示ランプ４７の点滅により判明できるようになっている。
【００３８】
また、液晶表示ユニット２２には、上記の各所制御を行うためのコントローラが内臓されている。
【００３９】
ところで、デジタルメイン基板２３内部にも、ＣＰＵ４９、ＲＯＭ５０及びＲＡＭ５１が内蔵されており、このうちＲＯＭ５０には、図５及び図７のグラフ並びに図６及び図８のシーケンス手順がメモリーされている。
【００４０】
すなわち、図５は、横軸に縫製品の搬送速度（ｍ／ｍｉｎ）を取り、その縫製品中に混入されている金属類を検針センサー８が検出した場合のセンサー出力値（誘起電圧であり、以下、「感度」という。）を縦軸に取った場合の両者の相関関係を示すグラフである。
【００４１】
図中、曲線Ａは、本発明の検針機１の搬送ベルト４上に直径を１ｍｍの鉄球を実際に載置して搬送速度を現在使用されている実用機のほぼ最高速度である４０ｍ／ｍｉｎから最低速度の２０ｍ／ｍｉｎまで、２ｍ／ｍｉｎ毎に順次低下させた時の搬送速度と、検針センサー出力値とをプロットしたものである。ここで、上記「直径が１ｍｍの鉄球」とは、検針機ユーザからの要求特性として、本出願人にユーザ製品中に混入している金属類の代表サンプルとして与えられたもので、混入金属針の誘起電圧が等価の鉄球として「直径が１ｍｍの鉄球」に代表させたものである。
【００４２】
ところで、前述したアルミニューム、真鍮等の非鉄金属類からなるボタンやアクセサリー等は、必ず縫製品中に含まれているものであるが、このようなアクセサリーも金属類には違いがないから、当然検針センサー８はその構造上、その存在を検知することとなるが、かかるアクセサリー類は本発明の検針機としては検出されずに通過させたい異物である。そこで、検針機ユーザのアクセサリーサンプルを、検出を回避すべき異物として同様に搬送ベルト４上に載置して、搬送速度とセンサー出力値との関係をプロットしたのが図５に示した曲線Ｂである。
【００４３】
検針センサー８の出力値は、その原理上、検針センサー８の磁界を横切る金属類の速度、換言すれば金属類を含む縫製品の搬送速度が低くなるほどその値は低くなるから、図に示すように、両曲線Ａ、Ｂは右下がりの曲線となる。また、搬送速度が低速になればなるほど曲線Ａ−Ｂ間の縦軸方向の出力値の開きが大きくなるから、低速領域ほど感度調整がしやすくなる。
【００４４】
したがって、本発明の検針機ユーザの縫製品が、仮に、前述した折損針や忘れ針等の真に検出すべき金属類と、アクセサリー等の非鉄金属類とを含むものである場合には、例えば図中の搬送速度が「３０ｍ／ｍｉｎ」の場合には、曲線Ａ−Ｂ間に閾値Ｋで示す感度「４８」の閾値を設定し、検針センサー８がこの閾値４８を越える感度を検知した場合には縫製品中に金属類の混入があったものとして検針機１を停止させ、一方、閾値が４８以下の感度を検知した場合には検針機１を停止させる必要がない非鉄金属類の混入があったものとして、その縫製品を通過させればよいことになる。
【００４５】
この感度の閾値Ｋは、曲線Ａの各搬送速度における検針センサー８の出力値に対して、その５〜１５％下方に設定するのが実用的に好ましい。この場合において、閾値を高く設定することは、検出したい金属類を拾う機会が少なくなることを意味し、逆に閾値を低く設定することは検針機１がアクセサリー類を拾う機会が多くなることを意味する。
【００４６】
本実施例では、検針機ユーザが自社の縫製品に見合った搬送速度を後述する液晶表示ユニット２２に設定した場合、そのコントローラがデジタルメイン基板２３に当該速度信号を送信し、デジタルメイン基板２３のＣＰＵ４９がＲＯＭ５０にメモリーされている曲線Ａ、Ｂのデータを読み出して、これらデータから最適の感度を自動計算して、デジタルアンプ基板２６に伝え、その感度でセンシングすることになる。すなわち、本発明の検針機１においては、縫製品の搬送速度がユーザーの条件設定値であり、これに対応する最適感度が自動演算されて（この場合のデジタルアンプ基板２６の増幅率は一定）、その感度によるセンシングが継続され、搬送速度の設定変更が行われた場合には、ＲＯＭ５０に内蔵されている図５のデータによりデジタルメイン基板２３が瞬時に最適の感度を自動演算し、デジタルアンプ基板２６を制御する。
【００４７】
ところで、前述の図５のグラフは、標準鉄球に対し、アクセサリーＡが検針対象から外したい非金属類（検針機１を通過させたいアクセサリー）であったが、例えば検針機ユーザが要望する、金属針以外の「特定の金属製異物」についても本発明の検針機１で検針したい場合があるが、この場合は上記図５のグラフでは対応できない。
【００４８】
この技術的課題を解決したのが次の図７のグラフ及び図８のフローチャートである。
【００４９】
この図７は、前述の曲線Ａの他、曲線Ｃとして、本発明の検針機１にユーザの「特定の金属製異物」を借り受け、同一の搬送速度で複数回センシングしてみてその搬送速度に対応する感度の最小値と最大値とをデジタルメイン基板２３のＲＡＭ５１にメモリーし、同様操作を搬送速度を変えて搬送速度とその搬送速度に対応する感度とをプロットして併記したものである。すなわち、曲線Ｃは、さらに検知したい「特定の金属製異物」の仮想グラフとして、予め、デジタルメイン基板２３に自動的に演算してＲＡＭ５１に格納したものである。
【００５０】
この場合の閾値Ｋ１は、図に示すように、曲線Ｃの下方に設定したうえで、この閾値Ｋ１の上方のセンサー出力値（感度）を示すものを検知すれば、曲線Ａの標準鉄球の他、所望の「特定の金属製異物」であるアクセサリーＣについても検知できることになる。
【００５１】
次に、本発明の作用を図６及び図８のフローチャートに基づいて説明する。
【００５２】
まず、図６に基づいて、本発明の検針機１の運転モードである「マテリアルエフェクトモード」の主要ステップを中心に説明する。
【００５３】
まず、検針機１の電源スイッチ３７を入れる（ステップＳ１）。
【００５４】
次に、メニューボタン４４を押動し、キースイッチ４２のカーソルを操作して液晶表示面の「マテリアルエフェクトモード」を選択し、エンターキー４５を押動する（ステップＳ２）。
【００５５】
同様に、メニューボタン４４とキースイッチ４２を操作して、縫製品にとって必要な「搬送速度」として、例えば３０ｍ／ｍｉｎを入力し、エンターキー４５を押動する（ステップＳ３）。このとき、液晶表示ユニット２２のコントローラからデジタルメイン基板２３に搬送速度の設定信号が入力され、デジタルメイン基板２３がコンロール基板にモータの駆動開始指令を与え、コンロール基板は駆動モータ２が当該速度になるようスピードコントローラ基板を制御する。
【００５６】
次に、液晶表示ユニット２２のスタートボタン４１（図４）を押動する（ステップＳ４）。
【００５７】
駆動モータ２が回転し、搬送ベルト４を上記３０ｍ／ｍｉｎの搬送速度で駆動させる（ステップＳ５）。この時、フォトセンサー３５が搬送されてきた縫製品をキャッチし、以後の縫製品の搬送枚数をカウントし、そのデータをコントロール基板２０経由、デジタルメイン基板２３に送る。
【００５８】
次いで、検針センサー８が縫製品をキャッチし、鉄系金属の存在を検知すると、そのセンサー出力値をデジタルアンプ基板２６がＡ／Ｄ変換し、そのデジタル増幅信号をデジタルメイン基板２３に送る（ステップＳ６）。
【００５９】
デジタルメイン基板２３では、そのＣＰＵ４９が、送られてきたセンサー出力値と、ＲＯＭ５０にメモリーされている図５の搬送速度が３０ｍ／ｍｉｎにおける閾値（Ｋ）４８とを比較する（ステップＳ７）。
【００６０】
センサー出力値が閾値４８よりも大きい場合は、その信号がコントロール基板２０に送られ、スピードコントローラが駆動モータ２を停止させ、搬送ベルト４を停止させる（ステップＳ８）。
【００６１】
この時、液晶表示画面４３では、その時の諸データが表示されると共に、その縫製品のベルト幅方向位置における棒グラフ４６がリアルタイムで閾値を越え、金属通過位置表示ランプの対応位置ランプが点滅する（ステップＳ９）。
【００６２】
一方、センサー出力値がＲＯＭ５０にメモリーされている閾値（Ｋ）４８よりも低い場合は、混入されているのは非鉄金属類であるからその縫製品の検針ヘッド１１の通過を許容する（ステップＳ１０）。
【００６３】
フォトセンサー３５は、シリアルナンバーを「１」繰上げ、以後、検針作業が終了するまで、同様操作を繰り返す（ステップＳ５へ戻る）。
【００６４】
このように、被検出物中にアクセサリー等を残存させても問題のない被検出物については検針機１を通過させることができるので、被検出物の生産性がより一層向上する。また、閾値Ｋの設定値を操作することにより、検針機１を通過させる頻度を自動調整することができる。
【００６５】
次に、本発明の「補正モード」の作用を図８のフローチャートに基づいて説明する。
【００６６】
このモードでは、まず準備段階として、デジタルメイン基板２３のＲＡＭ５１に図７のグラフ中の曲線Ｃを図８（ａ）のフローチャートにより、「仮想グラフ」として書かせることが必要である。図中のアクセサリーＣは、検針機ユーザーから、ユーザーの要求条件として与えられるものだからである。
【００６７】
まず、金属アクセサリーＣのサンプルを作成する。具体的にはユーザから与えられる検針すべきサンプルである（ステップＳ１）。
【００６８】
次に、本発明の検針機１の搬送ベルト４上に載置し、搬送速度を変更して得られる複数の対応感度を検出する（ステップＳ２）。
【００６９】
制御部３３のデジタルメイン基板２３が搬送速度とその対応感度との関係をＲＡＭ５１内に取り込み、曲線Ｃの仮想グラフをＲＡＭ５１内に作成する（ステップＳ３）。
【００７０】
次に、ＲＯＭ５０が各搬送速度ごとの閾値Ｋ１を自動計算し、その値をＲＡＭ５１に記憶する（ステップＳ４）。以上で準備が完了した。
【００７１】
次に、図８（ｂ）のフローチャートに基づいて、オペレータが適当な搬送速度を設定し、これに基づく最適の感度を自動的に計算し、設定するのであるが、その具体的ステップは図６で前述した「マテリアルエフェクトモード」の場合とほぼ同様であるので、説明は省略する。
【００７２】
但し、異なる点は、図７で前述したように、閾値Ｋ１を両曲線Ａ、Ｃの下方に位置させたので,鉄球Ａ相当の金属類のみならず、ユーザーから提供されたアクセサリーＣの感度相当の感度を有する金属類まで検知するので、残存金属物の混入の少ない品質の高い縫製品が得られる。
【００７３】
なお、以上に説明した実施例では、制御部３３のデジタルアンプ基板２６は、増幅率を一定にして制御したが、必要なアクセサリーについては増幅率を変化させて制御しても良い。
【産業上の利用可能性】
【００７４】
本発明の検針機による検出対象物としては、鉄系金属と非鉄系金属に限られず、誘起電圧が生じるものであればいかなるものでもよい。
【００７５】
また、その用途についても本発明では主としてアパレル分野の縫製品を例にとって説明したが、何もこれに限られず、例えばインテリア製品、食料品、玩具等の分野のものに対しても効果的に適用することができ、これら金属物質や用途等における検針機についても本発明の範囲に含まれるものである。
【図面の簡単な説明】
【００７６】
【図１】本発明に係る検針機の全体斜視図である。
【図２】図１の検針機をＡ−Ａ線に沿って見た縦断面図である。
【図３】図１の検針機に図示されている操作パネルの平面図である。
【図４】図１の検針機の制御部のブロック線図である。
【図５】図３のデジタル基板のＲＯＭに記憶されている通過速度とセンサー出力値との相関図である。
【図６】図３のデジタル基板のＲＯＭに記憶されているフローチャート図である。
【図７】図３のデジタル基板のＲＡＭに記憶されている、図５とは異なる通過速度とセンサー出力値との相関図である。
【図８】図３のデジタル基板のＲＡＭに記憶されているフローチャート図である。
【符号の説明】
【００７７】
１    検針機(本発明)
２    駆動モータ
３    フレーム
４    搬送ベルト
８    検針センサー
１１    検針ヘッド
２０    コントロール基板
２２    液晶表示ユニット
２３    デジタルメイン基板
２６    デジタルアンプ基板
３０    コントロールシステム
３３    制御部
３５    フォトセンサー
３６    スピードコントロール基板
４９    ＣＰＵ
５０    ＲＯＭ
５１    ＲＡＭ
Ｋ、Ｋ１  閾値
【図１】
0005199725.tif 000002
【図２】
0005199725.tif 000003
【図３】
0005199725.tif 000004
【図４】
0005199725.tif 000005
【図５】
0005199725.tif 000006
【図６】
0005199725.tif 000007
【図７】
0005199725.tif 000008
【図８】
0005199725.tif 000009